(57)【要約】【課題】使用者の姿勢の矯正機能、あるいは運動能力向上に役立つ姿勢を身につけ得る機能などを適切にもたせることが可能なインナソールを提供する。【解決手段】履物Ｂに取り外し可能または取り外し不能な状態に取付けられるインナソールＡであって、履物の使用者の足裏の母指球４１および踵中央部４２のそれぞれに対応する箇所には、孔部２１，２２または凹部が上面開口の内部空洞状態で設けられ、母指球４１および踵中央部４２を孔部２１，２２または前記凹部内に沈み込ませることが可能とされている。好ましくは、前記使用者がニュートラルポジションの起立姿勢にあるときの足裏重心位置４３に対応する箇所に、周辺部よりも高さが高くされた上向き隆起部３が設けられている。【選択図】  図２
2020185387.tif 000002
【特許請求の範囲】
【請求項１】
履物に取り外し可能または取り外し不能な状態に取付けられるインナソールであって、
前記履物の使用者の足裏の母指球および踵中央部のそれぞれに対応する箇所には、孔部または凹部が上面開口の内部空洞状態で設けられ、前記母指球および前記踵中央部を前記孔部または前記凹部内に沈み込ませることが可能とされていることを特徴とする、インナソール。
【請求項２】
請求項１に記載のインナソールであって、
前記母指球に対応する箇所に設けられた前記孔部または前記凹部は、このインナソールの一側縁部側にも開口した切欠き状の孔部または凹部とされている、インナソール。
【請求項３】
請求項１または２に記載のインナソールであって、
前記使用者がニュートラルポジションの起立姿勢にあるときの足裏重心位置に対応する箇所に、周辺部よりも高さが高くされた上向き隆起部が設けられている、インナソール。
【請求項４】
請求項３に記載のインナソールであって、
前記上向き隆起部は、前後幅よりも左右幅の方が長寸法であり、かつその上面部は、前後幅方向の両端部からそれらの中央部に進むにしたがって高さが漸次高くなるように傾斜した側面視略円弧状の曲面である、インナソール。
【請求項５】
請求項１ないし４のいずれかに記載のインナソールを備えていることを特徴とする、履物。
【請求項６】
複数種類の足サイズごとのインナソール外形線が表示され、このインナソール外形線に沿って裁断されることにより、所望の足サイズに対応するインナソールとして作製される、インナソール中間品であって、
インナソール使用者の足裏の母指球に対応する領域には、前記母指球を沈み込ませるための孔部を形成するための孔部輪郭線が、前記複数種類の足サイズごとに表示されており、
インナソール使用者の足裏の踵中央部に対応する箇所には、踵中央部を沈み込ませるための孔部または凹部が、前記複数種類の足サイズに共通化した状態で設けられていることを特徴とする、インナソール中間品。
【請求項７】
複数種類の足サイズごとのインナソール外形線が表示されている型紙と、
この型紙に沿って裁断されることにより、所望の足サイズに対応するインナソールとして作製されるインナソール中間品と、
を備えている、インナソール中間品セットであって、
前記型紙には、インナソール使用者の足裏の母指球を沈み込ませるための孔部を形成するための孔部輪郭線が、前記複数種類の足サイズごとに表示されており、
前記インナソール中間品のうち、インナソール使用者の足裏の踵中央部に対応する箇所には、踵中央部を沈み込ませるための孔部または凹部が、前記複数種類の足サイズに共通化した状態で設けられていることを特徴とする、インナソール中間品セット。
【発明の詳細な説明】
【技術分野】
【０００１】
本発明は、インナソールおよびこれを備えた履物に関連する技術に関する。
ここで、本発明でいうインナソールとは、靴から取り出し可能に靴内に挿入して用いられる中敷きに加え、靴のソールを構成すべく取り出し不能な状態に靴内に固定された中底構成部材などを含む概念である。
【背景技術】
【０００２】
インナソールの具体例として、特許文献１，２に記載のものがある。
特許文献１に記載のインナソールは、人（使用者）の足裏のかたちに形成されたシート体のうち、使用者の足裏の踵、母指球、および小指球に対応する３箇所を結んだ領域が凹状部とされ、かつこの凹状部が衝撃吸収材を用いて非凹状に埋められた構成である。このような構成によれば、使用者の体重の多くは、踵、母指球、小指球に対応する箇所に集中して作用するのに対し、これらの部分は衝撃吸収材を用いて構成されているため、使用者が歩行などを行なう際の衝撃分散効果が生じ、使用者の疲労軽減などが図られる。
【０００３】
一方、特許文献２に記載のインナソールは、使用者の足裏の踵、母指球、および小指球に対応する３箇所に孔部が形成され、かつこの孔部には、他の部分よりも硬質の部材で形成された支持部が嵌め込まれている。このような構成によれば、使用者の足の前記した３箇所をしっかりと支持することにより、内側縦足弓、外側縦足弓、および横足弓の上下方向の弾性運動が妨げられないようにし、足のアーチを育成するのに役立つ。
【０００４】
しかしながら、従来においては、次に述べるように、解決すべき課題がある。
【０００５】
すなわち、履物の機能の１つとして、たとえば直立または直立に近い姿勢の起立時、あるいは各種の運動の構えの姿勢時などにおいて、履物の使用者の身体を不当な歪みや傾きのない正しい姿勢に矯正し、あるいは運動能力の向上に役立つ適切な姿勢を身につけ得るような機能があれば好ましく、このようなニーズが潜在していると考えられる。これに対し、前記した特許文献１，２に記載のインナソールは、疲労軽減、あるいは足のアーチ育成には役立つものの、姿勢矯正機能や運動能力向上に役立つ姿勢を身につけ得るといった機能が得られるものではない。
【先行技術文献】
【特許文献】
【０００６】
【特許文献１】特開平１０−４２９０７号公報
【特許文献２】特許第５２２７７１３号公報
【発明の概要】
【発明が解決しようとする課題】
【０００７】
本発明は、前記したような事情のもとで考え出されたものであり、使用者の姿勢の矯正機能、あるいは運動能力向上に役立つ姿勢を身につけ得る機能などを適切にもたせることが可能なインナソール、およびこれを備えた履物、インナソール中間品、およびインナソール中間品セットを提供することを、その課題としている。
【課題を解決するための手段】
【０００８】
上記の課題を解決するため、本発明では、次の技術的手段を講じている。
【０００９】
本発明の第１の側面により提供されるインナソールは、履物に取り外し可能または取り外し不能な状態に取付けられるインナソールであって、前記履物の使用者の足裏の母指球および踵中央部のそれぞれに対応する箇所には、孔部または凹部が上面開口の内部空洞状態で設けられ、前記母指球および前記踵中央部を前記孔部または前記凹部内に沈み込ませることが可能とされていることを特徴としている。
ここで、履物の使用者とは、履物を実際に使用する特定の使用者ではなく、履物に見合ったサイズの足をもち、その履物を使用する一般的な人として想定される人である。母指球および踵中央部の位置は、履物あるいはインナソールのサイズや形状などに基づき、この位置が履物の使用者の母指球および踵中央部であろうと推測される位置である。
【００１０】
このような構成によれば、次のような効果が得られる。
すなわち、履物の使用者がたとえば不当な前傾姿勢や後傾姿勢にはなく、使用者の体重が足の前後に略均一に分散して作用している場合、使用者の足の母指球および踵中央部の双方が、インナソールの孔部または凹部内に深く沈み込む。このため、使用者は、その旨を適切に感じとることが可能である。加えて、使用者の体重が左右両足に略均等に作用していると、左右両足のそれぞれにおいて、足裏の母指球および踵中央部が孔部または凹部内に深く沈み込み、やはりその旨を使用者が適切に感じとることが可能となる。これに対し、身体が左右に傾くなどし、姿勢が正しくない場合には（Ｏ脚やＸ脚に起因する重心の左右方向へのズレが生じている場合も含む）、母指球および踵中央部が孔部または凹部内に深く沈み込まず、前記したような状態を感じない、または感じ難い。
このため、使用者は、自分の足裏（左右の足裏）の母指球および踵中央部が前記した孔部または凹部に深く沈み込むことを感じる姿勢を意識することにより、正しい姿勢を身につけることが可能となる。Ｏ脚やＸ脚の矯正にも役立たせることが可能である。
さらに、たとえばスポーツの構えの姿勢において、左右両足のそれぞれの前後に体重が略均等に作用する姿勢は、下半身の安定感を増し、俊敏な運動を開始する上でも有利である。このようなことから、スポーツの能力向上にも役立たせることができる。勿論、本発明のインナソールによれば、使用者の体重が、たとえば足裏の前後いずれかに偏っている場合に、その旨を察知することができるため、たとえば足裏の前側に体重を掛けることが好ましい場合には、そのようなことに適切に対応するといったことも可能となり、スポーツトレーニング用としても最適である。
特許文献１，２におけるインナソールは、足裏の母指球および踵に対応する箇所に設けられた孔部内に、衝撃吸収材あるいは硬質部材が嵌め込まれており、実質的には、前記孔部が消失した形態とされているため、仮に、使用者の体重が母指球および踵に作用したとしても、その旨を使用者は的確に感じとることはできない。人の足裏の感覚は、それ程までには鋭くない。したがって、特許文献１，２においては、本発明の前記したような作用は得られない。
【００１１】
本発明において、好ましくは、前記母指球に対応する箇所に設けられた前記孔部または前記凹部は、このインナソールの一側縁部側にも開口した切欠き状の孔部または凹部とされている。
【００１２】
このような構成によれば、次のような効果が得られる。
すなわち、母指球に対応する箇所に設けられる孔部または凹部が、非切欠き状に形成されている場合と比較すると、使用者の体重の一部が母指球に適切に作用している際に、この母指球の一部が前記切欠き状の孔部または凹部の切欠き開口部にも沈み込んだ状態となるため、履物の使用者はその旨をより確実に察知し易くなる。したがって、使用者が正しい姿勢にあるか否かについて判断する際の過誤をなくし、または少なくすることができる。
【００１３】
本発明において、好ましくは、前記使用者がニュートラルポジションの起立姿勢（歪み
や傾きなどのない理想的な起立姿勢）にあるときの足裏重心位置に対応する箇所に、周辺部よりも高さが高くされた上向き隆起部が設けられている。
ここで、使用者がニュートラルポジションの起立姿勢にあるときの足裏重心位置は、側面視において使用者の踝のやや前方の下方である（図６を参照する後述の説明も参照）。前記足裏重心位置も、前記した母指球や踵中央部の位置と同様に、履物あるいはインナソールのサイズや形状などに基づき、この位置が履物の使用者の前記足裏重心位置であろうと推測される位置である。
【００１４】
このような構成によれば、次のような効果が得られる。
すなわち、使用者がニュートラルポジションの起立姿勢にあるときの足裏重心位置は、踵中央部よりも前側に離間した位置であって、足裏のうち、インナソールに強く当接しない土踏まず（足底弓蓋）、または土踏まずに近い位置にあり、上向き隆起部は、それに対応する位置にある。このため、使用者の起立姿勢が悪く、前後方向に歪み、または傾いているような場合においては、左右の各足裏と上向き隆起部とは強く当接しない。これに対し、使用者の起立姿勢に前後方向の歪みや傾きがなく、使用者の重心線が上向き隆起部と一致するときには、左右の各足裏と上向き隆起部とは強く当接し、使用者は上向き隆起部の存在を的確に感じとることが可能である。このようなことから、使用者は、左右の各足裏が上向き隆起部に当たっていることを感じるように起立することにより、前後方向に歪みや傾きのない正しい起立姿勢、とくに直立またはこれに近い姿勢での正しい起立姿勢を身につけることが可能となる。
インナソールの孔部または凹部も、使用者が正しい起立姿勢にあるか否かの判断に役立たせることが可能であるが、前記した上向き隆起部は、正しい起立姿勢がとられた際に、足裏に強く当接するため、その旨がより的確に察知し易くなる。前記孔部または凹部は、使用者の左右方向の歪みや傾きを矯正する機能が大きいのに対し、上向き隆起部は、前後方向の歪みや傾きを矯正する機能が大きい。したがって、前後左右のいずれの方向にも歪みや傾きのない正しい姿勢を身につける上で、より好ましいものとなる。
【００１５】
本発明において、好ましくは、前記上向き隆起部は、前後幅よりも左右幅の方が長寸法であり、かつその上面部は、前後幅方向の両端部からそれらの中央部に進むにしたがって高さが漸次高くなるように傾斜した側面視略円弧状の曲面である。
【００１６】
このような構成によれば、上向き隆起部が、いわゆる横長状とされているため、使用者の姿勢が左右方向に多少の位置ずれを生じたとしても、使用者の足裏重心位置が、前後方向において上向き隆起部の位置に一致していれば、使用者はこの上向き隆起部に足裏が強く当接していることを適切に感じとることが可能となる。したがって、上向き隆起部を、使用者の前後方向の歪みや傾きを矯正するための部位として一層役立たせることが可能となる。また、前記構成とは異なり、上向き隆起部が、たとえば角張った凸状の形態である場合には、足裏のうち、上向き隆起部に当接する部分に痛みを生じるといった虞があるが、前記構成によれば、上向き隆起部の上面部は所定の曲面とされているため、使用者の足裏にソフトな状態で当接することとなり、前記した虞を適切に回避することが可能である。
なお、本発明において、より好ましくは、上向き隆起部は、このインナソールの他の部分よりも軟質とされる。
【００１７】
本発明の第２の側面により提供される履物は、本発明の第１の側面により提供されるインナソールを備えていることを特徴としている。
【００１８】
このような構成によれば、本発明の第１の側面により提供されるインナソールについて述べたのと同様な効果が得られる。
【００１９】
本発明の第３の側面により提供されるインナソール中間品は、複数種類の足サイズごとのインナソール外形線が表示され、このインナソール外形線に沿って裁断されることにより、所望の足サイズに対応するインナソールとして作製される、インナソール中間品であって、インナソール使用者の足裏の母指球に対応する領域には、前記母指球を沈み込ませるための孔部を形成するための孔部輪郭線が、前記複数種類の足サイズごとに表示されており、インナソール使用者の足裏の踵中央部に対応する箇所には、踵中央部を沈み込ませるための孔部または凹部が、前記複数種類の足サイズに共通化した状態で設けられていることを特徴としている。
【００２０】
このような構成によれば、インナソール中間品を、所望の足サイズに対応するインナソール外形線および孔部輪郭線に沿って裁断することにより、本発明が意図するインナソールを適切に作製することができる。作製されるインナソールは、１種類の足サイズに限定されず、複数種類の足サイズに対応させることができるため、便利である。
【００２１】
本発明の第４の側面により提供されるインナソール中間品セットは、複数種類の足サイズごとのインナソール外形線が表示されている型紙と、この型紙に沿って裁断されることにより、所望の足サイズに対応するインナソールとして作製されるインナソール中間品と、を備えている、インナソール中間品セットであって、前記型紙には、インナソール使用者の足裏の母指球を沈み込ませるための孔部を形成するための孔部輪郭線が、前記複数種類の足サイズごとに表示されており、前記インナソール中間品のうち、インナソール使用者の足裏の踵中央部に対応する箇所には、踵中央部を沈み込ませるための孔部または凹部が、前記複数種類の足サイズに共通化した状態で設けられていることを特徴としている。
【００２２】
このような構成によれば、型紙に沿ってインナソール中間品を裁断することにより、本発明が意図するインナソールを適切に作製することができる。作製されるインナソールは、複数種類の足サイズに対応させることが可能であり、便利である。
【００２３】
本発明のその他の特徴および利点は、添付図面を参照して以下に行なう発明の実施の形態の説明から、より明らかになるであろう。
【図面の簡単な説明】
【００２４】
【図１】本発明に係るインナソールを備えた履物の一例を示す分解側面斜視図である。
【図２】図１の履物内にインナソールを取付けた状態の概略断面図である。
【図３】（ａ）は、図１および図２に示すインナソールの平面図であり、（ｂ）は、（ａ）のIIIb−IIIb断面図である。
【図４】人の足裏の説明図である。
【図５】（ａ）〜（ｃ）は、人の起立姿勢のバリエーションを示す説明図である。
【図６】人がニュートラルポジションの起立姿勢にあるときの足裏重心位置を示す説明図である。
【図７】本発明の他の例を示す平面図である。
【図８】本発明の他の例を示す側面断面図である。
【図９】本発明の他の例を示す平面図である。
【図１０】本発明の他の例を示す平面図である。
【図１１】（ａ）は、本発明の他の例を示す平面図であり、（ｂ）は、（ａ）のXIb−XIb断面図である。
【図１２】本発明の他の例を示す断面図である。
【図１３】（ａ）は、本発明に係るインナソール中間品の一例を示す平面図であり、（ｂ）は、（ａ）に示すインナソール中間品から作製されたインナソールの他の例を示す平面図である。
【図１４】本発明に係るインナソール中間品セットの一例を示す平面図である。
【図１５】図１４に示したインナソール中間品セットの型紙を裁断する状態を示す説明図である。
【図１６】（ａ）は、図１５に示した型紙をインナソール中間品に重ねた状態の平面図であり、（ｂ）は、（ａ）の断面図である。
【発明を実施するための形態】
【００２５】
以下、本発明の好ましい実施の形態について、図面を参照して具体的に説明する。
【００２６】
図１および図２に示すインナソールＡは、たとえば履物の一例としての靴Ｂの内部に出し入れ可能に取付けられるものである。図１および図２に示すインナソールＡは、左側用であるが、インナソールとしては、図３に示すように、左右一対のインナソールＡ，Ａ’が用いられる。右側用のインナソールＡ’は、左側用のインナソールＡと左右対称である。このため、以降においては、左側用のインナソールＡについて説明し、右側用のインナソールＡ’についての説明は適宜省略する。
なお、靴Ｂに付されている符号１０は、アウタソールを示し、符号１１は、甲皮を示す。
【００２７】
インナソールＡは、インナソール本体部２と、上向き隆起部３とを有している。インナソール本体部２は、たとえば樹脂製、布製、革製、人工皮革製などの適当な材質からなる単層のシートを用いて構成され、または同種もしくは異種の材質からなる複数種類のシートが積層して接合された複数層のシートを用いて構成されている。このインナソール本体部２の基本形状およびサイズは、靴Ｂの中底１２の形状およびサイズ、ひいては靴Ｂの使用者の足裏の形状およびサイズに対応したものとなっている。
【００２８】
インナソール本体部２には、切欠き状の孔部２１、および非切欠き状の孔部２２が設けられている。これら孔部２１，２２は、その内側に他の部材が嵌め込まれているような構成とはされておらず、上面が開口した内部空洞状態のままとされている。図４に示す使用者（人）の足裏４において、符号４１は、母指球を示し、符号４２は、踵中央部を示している。符号４３は、足裏重心位置を示している。
【００２９】
孔部２１は、母指球４１に対応する箇所に形成されている。ただし、本実施形態において、孔部２１は、インナソール本体部２の一側縁部２３（内側縁部）に開口部２１ａが形成された切欠き状の孔部として形成されている。孔部２２は、非切欠き状の略円形状の孔部とされている。孔部２１，２２の深さ（本実施形態では、インナソール本体部２の厚みｔと同一）は、好ましくは２ｍｍ程度以上、より好ましくは、３ｍｍ程度以上とされている。
【００３０】
上向き隆起部３は、インナソール本体部２の上面部のうち、図４に示した足裏重心位置４３に対応する箇所に設けられている。足裏重心位置４３は、図６に示すように、使用者（人）がニュートラルポジションの起立姿勢にあるときに、使用者の足裏のうち、使用者の重心線ＧＬが通過する位置であって、側面視において使用者の踝のやや前方の下方である。したがって、インナソールＡにおいて、上向き隆起部３は、踵中央部４２に対応する孔部２２よりも適当寸法だけ前方側に離間した領域のうち、左右幅方向の略中央部の位置に設けられている。
【００３１】
この上向き隆起部３は、たとえば図３（ａ）に示すように、前後幅Ｌａよりも左右幅Ｌｂの方が長寸法の平面視略楕円状または略長円状である。同図（ｂ）に示すように、この上向き隆起部３の上面部３ａは、前後幅方向の両端部からそれらの中央部に進むにしたがって高さが漸次高くなるように傾斜した側面視略円弧状の曲面である。上向き隆起部３の
最大高さＨは、たとえば４〜８ｍｍ程度とされるが、これに限定されない。好ましくは、この上向き隆起部３は、インナソール本体部２よりも軟質の別部材を用いて構成され、かつインナソール本体部２に接合されている。接合手段としては、たとえば接着剤を用いた接着や、縫製（糸を用いた縫着）などの手段を用いることが可能であるが、勿論、これらに限定されない。後述するように、上向き隆起部３を、インナソール本体部２と一体形成することも可能である。
【００３２】
次に、前記したインナソールＡの作用について説明する。
【００３３】
まず、靴Ｂの使用者が、不当な前傾姿勢や後傾姿勢にはなく、使用者の体重が足の前後に略均一に分散して作用していると、使用者の足の母指球４１および踵中央部４２の双方が、インナソールＡまたはＡ’の孔部２１，２２内に深く沈み込む。このため、使用者は、その旨を適切に感じとることが可能である。加えて、使用者の体重が左右両足に略均等に作用していると、左右のインナソールＡ，Ａ’のそれぞれにおいて、母指球４１および踵中央部４２が孔部２１，２２内に深く沈み込み、その旨を使用者が適切に感じとることができる。とくに、本実施形態において、孔部２１は、インナソールＡ，Ａ’の一側縁部２３側に開口した開口部２１ａを有しているため、母指球４１が孔部２１の位置に沈み込んだ場合に、使用者はその旨をより適切に感じとり易くなる。
【００３４】
これに対し、たとえば図５（ｂ），（ｃ）に示すように、使用者の身体に歪みがあり、あるいは左右に傾くなどして、使用者の姿勢が正しくない場合には、左右両足の少なくとも一方の母指球４１および踵中央部４２は、孔部２１，２２内に深く沈み込まない。このため、左右の足裏において、孔部２１，２２内に母指球４１および踵中央部４２が深く沈んだ状態を的確に感じとることはできない。また、使用者が不当に前傾している場合には、母指球４１のみが孔部２１に深く沈み込み、その旨を感じとることはできるものの、踵中央部４２は孔部２２内に深く沈み込まず、その旨は感じとることはできない。これとは反対に、使用者が不当に後傾している場合には、踵中央部４２のみが孔部２２内に深く沈み込み、その旨を感じ取ることはできるものの、母指球４１は、孔部２１内に深く沈み込まず、その旨は感じとることはできない。
【００３５】
このようなことから、使用者は、自分の左右両足において、母指球４１および踵中央部４２が孔部２１，２２内に深く沈み込み、かつその旨を感じとることが可能な姿勢をとることにより、正しい姿勢を身につけることが可能となる。Ｏ脚やＸ脚の矯正にも役立つ。
スポーツをする場合において、前後左右に歪みや傾きのない正しい構えの姿勢を身につけると、この構えの姿勢状態から瞬時に力を発揮し易くなり、運動能力を高めることも可能となり、このようなことにも役立つ。さらに、運動の種類如何では、たとえば一時的に足裏の前側に体重を掛けた体勢が好ましいような場合があるが、このような場合には、母指球４１が孔部２１内に大きく沈み込み、かつ踵中央部４２が孔部２２に大きく沈まない体勢となるように使用者がトレーニングすることにより、そのような体勢を取得することが可能となる。本実施形態のインナソールＡは、そのような運動のトレーニング用にも最適である。
【００３６】
一方、使用者が直立またはこれに近い起立姿勢をとる際に、歪みや傾きがない状態（図６に示した状態）であると、使用者の重心線ＧＬが上向き隆起部３と一致する位置となる。このため、使用者の足裏と上向き隆起部３とは強く当接し、使用者はその旨を的確に感じることとなる。これに対し、使用者の起立姿勢が悪く、たとえば前後方向などに歪み、または傾いているような場合には、足裏と上向き隆起部３とは強く当接しない。上向き隆起部３は、インナソールＡ，Ａ’の他の部分よりも高い高さに隆起しているため、足裏に当接するものの、足裏のうち、上向き隆起部３が当接する領域は、土踏まず（足底弓蓋）、またはこれに近い領域であって、本来的にはインナソールＡ，Ａ’の上面から浮き気味
となる領域である。このため、上向き隆起部３が足裏に当接してはいるものの、この上向き隆起部３と使用者の重心線ＧＬとが一致しない場合には、使用者は上向き隆起部３を的確に感じとることはない。
このようなことから、使用者は、足裏が上向き隆起部３に当たっている感覚をもつように起立することにより、歪みや傾きのない正しい直立または直立に近い起立姿勢を身につけることが可能となる。
【００３７】
なお、上向き隆起部３は、前後幅Ｌａよりも左右幅Ｌｂの方が長寸法の横長状であるため、使用者の姿勢が左右方向に多少の位置ずれを生じたとしても、使用者の足裏重心位置４３が、前後方向において上向き隆起部３の位置に一致していれば、使用者はこの上向き隆起部３に足裏が強く当接することとなり、その旨を的確に察知することが可能となる。したがって、上向き隆起部３を、使用者の前後方向の歪みや傾きを矯正するための部位として一層役立たせることが可能となる。また、上向き隆起部３は、平面視略楕円状または略長円状であって、上面部３ａが側面視略円弧状の曲面とされており、全体が滑らかな形態とされているため、上向き隆起部３が足裏に強く当接した際に、痛みなどを生じないようにすることもできる。上向き隆起部３を軟質部材で構成した場合には、その効果をより高めることが可能である。
【００３８】
図７〜図１６は、本発明の他の実施形態を示している。これらの図において、前記実施形態と同一または類似の要素には、前記実施形態と同一の符号を付すこととし、重複説明は省略する。
【００３９】
図７に示すインナソールＡ１，Ａ１’においては、使用者の足裏の母指球４１に対応する箇所に設けられる孔部２１が、孔部２２と同様に、非切欠き状の略円形孔として形成されている。
【００４０】
このような構成によれば、孔部２１を切欠き状に形成していた前記実施形態の構成と比較すると、足裏に孔部２１の存在をやや感じ難くなるが、本発明が意図する作用を得ることが可能である。
なお、孔部２２については、切欠き状に形成してもよいが、非切欠き形状とすることが好ましい。孔部２２を切欠き状に形成した場合には、非切欠き形状に形成した場合と比較すると、踵中央部４２が孔部２２の中心に位置しているか否かを使用者が感じとり難くなるからである。
【００４１】
図８に示すインナソールＡ２においては、インナソール本体部２が樹脂成形品であり、上向き隆起部３Ａが、インナソール本体部２と一体形成されている。
このような構成によれば、製造コストを廉価にすることが可能である。
【００４２】
図９に示すインナソールＡ３，Ａ３’、および図１０に示すインナソールＡ４，Ａ４’においては、上向き隆起部３が設けられていない構成とされている。本発明においては、このような構成とすることも可能である。
【００４３】
図１１は、ソール１３（底部）の上面側に、足の甲を留めるためのベルト部１４が設けられたサンダル（履物）Ｂ１，Ｂ１’を示している。ソール１３（底部）は、インナソールＡとその下面側のアウタソール１４とからなり、インナソールＡはアウタソール１４に対して接着され、取り外し不可能な状態に設けられている。インナソールＡには、孔部２１，２２、および上向き隆起部３が設けられている。
本実施形態のサンダルＢ１，Ｂ１’を利用した場合においても、先に述べた実施形態と同様に、使用者の姿勢矯正機能を得ることが可能である。本実施形態に示すように、本発明でいうインナソールは、履物から取り外し不可能な状態に設けられていてもよい。
【００４４】
図１２に示すサンダルＢ２においては、ソールがインナソールＡ５のみによって構成された単層構造とされており、インナソールＡ５の下面側領域がアウタソールに相当している。ここで、本実施形態においては、足裏の母指球４１および踵中央部４２に対応する箇所に、凹部２１Ａ，２２Ａが設けられている。凹部２１Ａ，２２Ａは、上面が開口した内部空洞状であり、その深さは、前記した孔部２１，２２と同様に、たとえば２ｍｍ程度以上、好ましくは、３ｍｍ程度以上とされている。
【００４５】
本実施形態によれば、サンダルＢ２の使用者が正しい姿勢をとった際には、足裏の母指球４１および踵中央部４２が、凹部２１Ａ，２２Ａ内に深く沈み込むため、先の実施形態の孔部２１，２２が設けられていた場合と同様な作用を得ることが可能である。
本実施形態から理解されるように、本発明においては、母指球および踵中央部に対応する箇所には、孔部に代えて、凹部を設けた構成とすることも可能である。
【００４６】
図１３は、インナソール中間品Ａ”を示している。このインナソール中間品Ａ”は、本来のインナソール（後述するインナソールＡ）よりも大き目のサイズのインナソール本体部２”を備えている。このインナソール本体部２”のつま先側には、たとえば２５〜２８ｃｍまでの足サイズの、たとえば１０ｍｍごと、または５ｍｍごとの複数のインナソール外形線Ｌｃが表示されている。また、このような構成に対応し、足サイズが、たとえば２５〜２８ｃｍであるごとの、母指球４１用の切欠き状の孔部２１の形状および位置を示す複数の孔部輪郭線Ｌｄも表示されている。
一方、インナソール本体部２”の踵寄り側には、上向き隆起部３、および踵中央部４２用の孔部２２が設けられている。これら、上向き隆起部３や、孔部２２については、足サイズが、２５〜２８ｃｍ程度の幅であれば、これらの位置やサイズを共通化することが可能である。
【００４７】
本実施形態によれば、インナソール本体部２”を、所望の足サイズに対応したインナソール外形線Ｌｃに沿い、ハサミ９を用いて裁断することにより、図１３（ｂ）に示すように、所望の足サイズに適合するインナソールＡが得られる。その際、所望の足サイズに対応する孔部輪郭線Ｌｄに沿って裁断することにより、母指球４１に対応する切欠き状の孔部２１を、適切な位置および形状に設けることができる。
本実施形態のインナソール中間品Ａ”によれば、様々な足のサイズに幅広く適用し、好ましいインナソールＡを製作し、使用することができるので、便利である。
【００４８】
図１４に示すインナソール中間品セットＳは、インナソール中間品Ａ”と、型紙８とを備えている。インナソール中間品Ａ”は、上向き隆起部３および孔部２２が設けられ、かつサイズが大きめのインナソール本体部２”を備えている。このインナソール本体部２”には、図１３に示したインナソール外形線Ｌｃおよび孔部輪郭線Ｌｄが直接的には表示されていないが、それらインナソール外形線Ｌｃおよび孔部輪郭線Ｌｄは、型紙８に表示されている。符号８０は、型紙８を囲む余白外枠部であり、この部分には、型紙８に表示できない事項を適宜印刷表示することができる。
【００４９】
図１５は、型紙８を、外枠部８０から切り出し、または抜き出してから、所望の足サイズに対応するインナソール外形線Ｌｃおよび孔部輪郭線Ｌｄに沿って裁断した状態を示している。型紙８には、切欠き孔部２１”が形成される。
前記した型紙８は、図１６に示すように、インナソール中間品Ａ”のインナソール本体部２”上に重ね合わせる。この状態において、型紙８の外形に沿って、インナソール本体部２”を裁断すれば、図１３を参照して説明した場合と同様なインナソールＡを作製することが可能である。
【００５０】
本実施形態においては、型紙８を用いているが、このような手法によれば、インナソール本体部２”自体に、前記したインナソール外形線Ｌｃおよび孔部輪郭線Ｌｄを表示する必要はなく、これらは型紙８に簡単に印刷することができるため、インナソール本体部２”が、印刷の難しい素材である場合などに好適である。
【００５１】
本発明は、上述した実施形態の内容に限定されない。本発明に係るインナソール、これを備えた履物、インナソール中間品、およびインナソール中間品セットの各部の具体的な構成は、本発明の意図する範囲内において種々に設計変更自在である。
【００５２】
足裏の母指球および踵中央部に対応する孔部または凹部のサイズ（開口幅または開口径、深さなど）は、母指球および踵中央部が沈み込み可能なサイズとされるが、その具体的な数値は限定されない。前記孔部または前記凹部が上面開口の内部空洞状態で設けられ、かつ適当な開口幅（または開口径）および深さがあればよい。
本発明でいう上向き隆起部の具体的なサイズ、形状、材質なども限定されない。
【００５３】
上述の実施形態においては、履物として、靴やサンダルを例示したが、履物の種類はこれに限定されない。一般の靴やサンダル（草履）に限らず、たとえば長靴、下駄、スポーツ用や仕事用（労働用）の各種の特殊な靴など、およびそれ用のインナソールに本発明を適用することが可能である。
インナソールに足裏の滑り止めなど用の凹凸部を別途追加して設けた構成とすることも可能である。
【符号の説明】
【００５４】
Ａ，Ａ’  インナソール
Ａ１〜Ａ５，Ａ１’，Ａ３’ Ａ４’  インナソール
Ａ”インナソール中間品
Ｂ  靴（履物）
Ｂ１，Ｂ１’，Ｂ２  サンダル（履物）
Ｌｃ  インナソール外形線
Ｌｄ  孔部輪郭線
Ｓ  インナソール中間品セット
２  インナソール本体部
２１，２２  孔部
２１Ａ，２２Ａ  凹部
３，３Ａ  上向き隆起部
３ａ  上面部（上向き隆起部の）
４１  母指球
４２  踵中央部
４３  足裏重心位置
８  型紙
【図１】
2020185387.tif 000003
【図２】
2020185387.tif 000004
【図３】
2020185387.tif 000005
【図４】
2020185387.tif 000006
【図５】
2020185387.tif 000007
【図６】
2020185387.tif 000008
【図７】
2020185387.tif 000009
【図８】
2020185387.tif 000010
【図９】
2020185387.tif 000011
【図１０】
2020185387.tif 000012
【図１１】
2020185387.tif 000013
【図１２】
2020185387.tif 000014
【図１３】
2020185387.tif 000015
【図１４】
2020185387.tif 000016
【図１５】
2020185387.tif 000017
【図１６】
2020185387.tif 000018